(57)【要約】  【解決手段】  本発明には、メガネ本体１００と光学アセンブリ２００とを含み、光学アセンブリ２００がメガネ本体１００に接続されており、光学アセンブリ２００がメガネ本体１００の外側に設けられており、光学アセンブリ２００の少なくとも一端がメガネ本体１００のいずれかのテンプルに回転接続されており、光学アセンブリ２００が前記テンプルに対して減衰回転する、拡張現実メガネが開示されている。このような拡張現実メガネによれば、目の前方の上下方向での光学アセンブリ２００の位置を回転範囲内で容易に調整し、拡張現実画像を人の目の視線と正確にマッチングさせ、良い拡張現実体験を得ることができる。  【選択図】図１
2019537846.tif 000002
【特許請求の範囲】
【請求項１】
メガネ本体と光学アセンブリとを含み、前記光学アセンブリが前記メガネ本体に接続されている拡張現実メガネであって、
前記光学アセンブリが、前記メガネ本体の外側に設けられており、前記光学アセンブリの少なくとも一端が、前記メガネ本体のいずれかのテンプルに回転接続されており、前記光学アセンブリが、前記テンプルに対して減衰回転する
ことを特徴とする拡張現実メガネ。
【請求項２】
前記光学アセンブリが、第一部材と第二部材からなるＬ型構造であり、
前記第一部材が、前記テンプルと減衰回転可能に接続され、前記テンプルの外側に沿って設けられており、
前記第二部材が、光学素子を含み、
前記光学素子が、前記テンプルに隣接するレンズに沿って設けられている
ことを特徴とする請求項１に記載の拡張現実メガネ。
【請求項３】
前記第一部材が、接続部を介して前記テンプルと減衰回転可能に接続されており、
前記接続部が、第一回転軸、第一ゴムリング、第一押圧ワッシャ、緩み止めワッシャ、第二ゴムリング及び締付ネジを含み、
前記第一回転軸が、前記第一部材の外側に固定されており、前記テンプルに、軸孔が設けられており、前記第一回転軸が、前記軸孔を通ってから、前記第一ゴムリング、前記第一押圧ワッシャ、前記緩み止めワッシャ及び前記第二ゴムリングを順次通り、前記締付ネジが、軸方向に沿って前記第一回転軸の末端に捻じ込まれ、前記第一ゴムリング、前記第一押圧ワッシャ、前記緩み止めワッシャ及び前記第二ゴムリングをロックする
ことを特徴とする請求項２に記載の拡張現実メガネ。
【請求項４】
前記第一部材が、接続部を介して前記テンプルと減衰回転可能に接続されており、
前記接続部が、第一回転軸、ゴムリング及び第一蝶ワッシャを含み、
前記第一回転軸が、前記第一部材の外側に固定されており、前記テンプルに、軸孔が設けられており、前記第一回転軸が、前記軸孔を通ってから、前記ゴムリング、前記第一蝶ワッシャを順次通り、前記第一回転軸の末端には、第一スナップフィットが設けられており、前記第一蝶ワッシャが、前記第一スナップフィットを係止して前記ゴムリングをロックする
ことを特徴とする請求項２に記載の拡張現実メガネ。
【請求項５】
前記第一部材が、回転部をさらに含み、
前記回転部が、前記第一部材を前段と後段とに分けて、前記前段が、前記第二部材に接続されており、前記後段が、前記テンプルの外側壁と減衰回転可能に接続されており、前記前段と前記後段とが、前記回転部を介して減衰回転可能に接続されている
ことを特徴とする請求項２〜４のいずれか１つに記載の拡張現実メガネ。
【請求項６】
前記回転部が、回転接続部材と第二回転軸とを含み、
前記第二回転軸が、前記前段に固定されており、
前記回転接続部材が、前記第二回転軸に外装され、前記第二回転軸と締り嵌めしており、前記回転接続部材の末端に、前記後段が固定接続されており、
前記第二回転軸と前記回転接続部材との間に位置規制構造を備え、
前記位置規制構造が、前記回転接続部材を、所定の範囲内で前記第二回転軸回りに回転するように規制する
ことを特徴とする請求項５に記載の拡張現実メガネ。
【請求項７】
前記回転部が、第二回転軸、第一回転軸アセンブリ、第二回転軸アセンブリ、スプリング、第二押圧ワッシャ及び第二蝶ワッシャを含み、
前記第一回転軸アセンブリ及び前記第二回転軸アセンブリが、それぞれ、前記後段及び前記前段に固定されており、前記第一回転軸アセンブリ及び前記第二回転軸アセンブリのいずれにも、軸孔が設けられており、
前記第二回転軸が、前記第一回転軸アセンブリ及び前記第二回転軸アセンブリの各軸孔を通ってから、引き続き前記スプリング、前記第二押圧ワッシャ及び前記第二蝶ワッシャを順次通り、前記第二回転軸の末端には、第二スナップフィットが設けられており、前記第二蝶ワッシャが、前記第一回転軸アセンブリ、前記第二回転軸アセンブリ、前記スプリング及び前記第二押圧ワッシャを締め付けるように前記第二スナップフィットを係止し、
前記第一回転軸アセンブリと前記第二回転軸アセンブリとの接触面が減衰摩擦面である
ことを特徴とする請求項５に記載の拡張現実メガネ。
【請求項８】
前記回転部が、第二回転軸と係合構造とを含み、
前記第二回転軸が、前記後段に固定されており、
前記係合構造が、前記前段に固定されており、かつ、複数の爪部を含み、前記係合構造の各爪部が前記第二回転軸にそれぞれ係合されて、前記第二回転軸と締り嵌めしており、
前記第二回転軸及び／又は前記各爪部が自己潤滑性材料である
ことを特徴とする請求項５に記載の拡張現実メガネ。
【請求項９】
前記回転部が、第二回転軸とシリカゲル摺動溝とを含み、
前記第二回転軸が、前記前段に固定されており、
前記シリカゲル摺動溝が、前記後段に設けられており、かつ、複数の連通した軸孔を有し、
前記第二回転軸が、前記シリカゲル摺動溝の軸孔のうちの一つを通って、該軸孔と締り嵌めしており、かつ、前記第二回転軸が、外力の作用により、前記シリカゲル摺動溝に沿って摺動し、前記軸孔のいずれか一つと締り嵌めすることが可能である
ことを特徴とする請求項５に記載の拡張現実メガネ。
【請求項１０】
前記シリカゲル摺動溝が二つ平行して設けられており、前記第二回転軸が、前記各シリカゲル摺動溝の軸方向に揃った前記軸孔を通って、該軸孔と締り嵌めする
ことを特徴とする請求項９に記載の拡張現実メガネ。
【請求項１１】
前記拡張現実メガネの長さが１９０ｍｍ以下、前記拡張現実メガネの幅が１４０ｍｍ以下、前記テンプルの長さが１６０ｍｍ以下である
ことを特徴とする請求項１〜１０のいずれかに記載の拡張現実メガネ。
【請求項１２】
前記拡張現実メガネの質量が１００ｇ以下である
ことを特徴とする請求項１〜１０のいずれかに記載の拡張現実メガネ。
【発明の詳細な説明】
【技術分野】
【０００１】
本願は、２０１７年１０月１９日に提出された「拡張現実メガネ」と題された中国特許出願第２０１７１０９７９０３１．Ｘ号の優先権を主張し、その開示の全体は援用により本願に組み込まれる。
【０００２】
本発明は、ウェアラブル装置の技術分野に関し、特に、拡張現実メガネに関する。
【背景技術】
【０００３】
拡張現実技術の継続的な発展に伴い、拡張現実型ウェアラブル装置、例えば、拡張現実メガネなどの端末装置が急速に登場している。拡張現実メガネは、光学アセンブリをユーザの目の前に配置することで、拡張現実シーン画像の結像効果を提供する。
【発明の概要】
【発明が解決しようとする課題】
【０００４】
エンドユーザの体験を改善するために、光学アセンブリの構造設計もますます精巧にする必要がある。光学アセンブリの部分は、使用しやすくなるように、位置を調整することによって異なる人の目に適応する必要があり、これにより、仮想的な結像がちょうどメガネの真正面に現れるようにして、ユーザの着用体験を改善する。
【０００５】
拡張現実メガネを便利に利用し、ユーザがより良い拡張現実シーン効果を得ることができるように光学アセンブリの位置を調整するためには、調整しやすくて製品の応用効果及びユーザ体験を改善することができる光学アセンブリ構造を提供する必要がある。
【０００６】
従来技術における拡張現実メガネの調整の利便性の問題に鑑みて、本発明の拡張現実メガネは、上記問題を解消するか、または上記問題を少なくとも部分的に解決するために提案されている。
【課題を解決するための手段】
【０００７】
上記目的を達成するために、本発明は、以下の技術案が用いられている。
拡張現実メガネであって、メガネ本体と光学アセンブリとを含み、前記光学アセンブリが前記メガネ本体に接続されており、前記光学アセンブリが前記メガネ本体の外側に設けられており、前記光学アセンブリの少なくとも一端が前記メガネ本体のいずれかのテンプルに回転接続されており、前記光学アセンブリが前記テンプルに対して減衰回転する。
【０００８】
また、前記光学アセンブリが第一部材と第二部材からなるＬ型構造であり、前記第一部材が前記テンプルと減衰回転可能に接続され、前記テンプルの外側に沿って設けられており、前記第二部材が光学素子を含み、前記光学素子が前記テンプルに隣接するレンズに沿って設けられていてもよい。
【０００９】
また、前記第一部材が接続部を介して前記テンプルと減衰回転可能に接続されており、前記接続部が、第一回転軸、第一ゴムリング、第一押圧ワッシャ、緩み止めワッシャ、第二ゴムリング及び締付ネジを含み、前記第一回転軸が前記第一部材の外側に固定されており、前記テンプルに軸孔が設けられており、前記第一回転軸が、前記軸孔を通ってから、前記第一ゴムリング、前記第一押圧ワッシャ、前記緩み止めワッシャ及び前記第二ゴムリングを順次通り、前記締付ネジが、軸方向に沿って前記第一回転軸の末端に捻じ込まれ、前記第一ゴムリング、前記第一押圧ワッシャ、前記緩み止めワッシャ及び前記第二ゴムリングをロックしてもよい。
【００１０】
また、前記第一部材が接続部を介して前記テンプルと減衰回転可能に接続されており、前記接続部が、第一回転軸、ゴムリング及び第一蝶ワッシャを含み、前記第一回転軸が前記第一部材の外側に固定されており、前記テンプルに軸孔が設けられており、前記第一回転軸が、前記軸孔を通ってから、前記ゴムリング、前記第一蝶ワッシャを順次通り、前記第一回転軸の末端には第一スナップフィットが設けられており、前記第一蝶ワッシャが前記スナップフィットを係止して前記ゴムリングをロックしてもよい。
【００１１】
また、前記第一部材が回転部をさらに含み、前記回転部が前記第一部材を前段と後段とに分けて、前記前段が前記第二部材に接続されており、前記後段が前記テンプルの外側壁と減衰回転可能に接続されており、前記前段と前記後段とが前記回転部を介して減衰回転可能に接続されていてもよい。
【００１２】
また、前記回転部が、回転接続部材と第二回転軸とを含み、前記第二回転軸が前記前段に固定されており、前記回転接続部材が、前記第二回転軸に外装され、前記第二回転軸と締り嵌めしており、前記回転接続部材の末端に前記後段が固定接続されており、前記第二回転軸と前記回転接続部材との間に位置規制構造を備え、前記位置規制構造が、前記回転接続部材を、所定の範囲内で前記第二回転軸回りに回転するように規制してもよい。
【００１３】
また、前記回転部が、第二回転軸、第一回転軸アセンブリ、第二回転軸アセンブリ、スプリング、第二押圧ワッシャ及び第二蝶ワッシャを含み、前記第一回転軸アセンブリ及び前記第二回転軸アセンブリが、それぞれ、前記後段及び前記前段に固定されており、前記第一回転軸アセンブリ及び前記第二回転軸アセンブリのいずれにも軸孔が設けられており、前記第二回転軸が、前記第一回転軸アセンブリ及び前記第二回転軸アセンブリの各軸孔を通ってから、引き続き前記スプリング、前記第二押圧ワッシャ及び前記第二蝶ワッシャを順次通り、前記第二回転軸の末端には第二スナップフィットが設けられており、前記第二蝶ワッシャが、前記第一回転軸アセンブリ、前記第二回転軸アセンブリ、前記スプリング及び前記第二押圧ワッシャを締め付けるように前記第二スナップフィットを係止し、前記第一回転軸アセンブリと前記第二回転軸アセンブリとの接触面が減衰摩擦面であってもよい。
【００１４】
また、前記回転部が、第二回転軸と係合構造とを含み、前記第二回転軸が前記後段に固定されており、前記係合構造が、前記前段に固定されており、かつ、複数の爪部を含み、前記係合構造の各爪部が前記第二回転軸にそれぞれ係合されて前記第二回転軸と締り嵌めしており、前記第二回転軸及び／又は前記各爪部が自己潤滑性材料であってもよい。
【００１５】
また、前記回転部が、第二回転軸とシリカゲル摺動溝とを含み、前記第二回転軸が前記前段に固定されており、前記シリカゲル摺動溝が、前記後段に設けられており、かつ、複数の連通した軸孔を有し、前記第二回転軸が、前記シリカゲル摺動溝の軸孔のうちの一つを通って、該軸孔と締り嵌めしており、かつ、前記第二回転軸が、外力の作用により、前記シリカゲル摺動溝に沿って摺動し、前記軸孔のいずれか一つと締り嵌めすることが可能であるようにしてもよい。
【００１６】
また、前記シリカゲル摺動溝が二つ平行して設けられており、前記第二回転軸が、前記各シリカゲル摺動溝の軸方向に揃った前記軸孔を通って、該軸孔と締り嵌めしてもよい。
【００１７】
また、前記拡張現実メガネの長さが１９０ｍｍ以下、前記拡張現実メガネの幅が１４０ｍｍ以下、前記テンプルの長さが１６０ｍｍ以下であってもよい。
【００１８】
また、前記拡張現実メガネの質量が１００ｇ以下であってもよい。
【発明の効果】
【００１９】
要約すると、本発明の有益な効果は、下記の通りになる。
本発明による拡張現実メガネは、光学アセンブリをメガネ本体の外側に設け、光学アセンブリの少なくとも一端を、メガネ本体のいずれかのテンプルに回転接続することによって、光学アセンブリがテンプルに対して減衰回転するようにして、これにより、目の前方の上下方向での光学アセンブリの位置を回転範囲内で容易に調整して、拡張現実画像を人の目の視線と正確にマッチングさせ、良い拡張現実体験を得ることができる。
【図面の簡単な説明】
【００２０】
図面は、本発明に対する更なる理解を提供すると同時に、明細書の一部を構成するものであり、本発明の実施例とともに本発明を解釈するために用いられ、本発明を限定するものではない。
【図１】本発明による拡張現実メガネの平面図である。
【図２】本発明による拡張現実メガネの側面図である。
【図３】本発明による拡張現実メガネの実施例１に示す光学アセンブリとメガネ本体との接続構造である。
【図４】本発明による拡張現実メガネの実施例２に示す光学アセンブリとメガネ本体との接続構造である。
【図５】本発明による拡張現実メガネの実施例３に示す光学アセンブリの前段と後段との接続構造である。
【図６】図５に示す光学アセンブリの断面図である。
【図７】本発明による拡張現実メガネの実施例４に示す光学アセンブリの前段と後段との接続構造である。
【図８】図７に示す光学アセンブリの断面図である。
【図９】本発明による拡張現実メガネの実施例５に示す光学アセンブリの前段と後段との接続構造である。
【図１０】本発明による拡張現実メガネのもう一つの側面図である。
【図１１】本発明による拡張現実メガネの角度範囲を調節する模式図である。
【図１２】本発明による拡張現実メガネの実施例６に示す光学アセンブリの前段と後段との接続構造である。
【図１３】図１２におけるシリカゲル摺動溝の断面模式図である。
【図１４】本発明による拡張現実メガネの実施例６の平面図である。
【発明を実施するための形態】
【００２１】
本発明の目的、技術案及び利点が更に明白になるように、以下、図面を参照しながら、本発明の実施形態について更に詳しく説明する。
【００２２】
本発明の技術構想としては、光学アセンブリをメガネ本体の外側に減衰回転可能に接続することにより、光学アセンブリを回転して拡張現実画像の位置を調整し、異なる着用者の頭部の大きさと目の位置により良く適応し、着用者に拡張現実体験を提供することができる。
【００２３】
図１は、本発明による拡張現実メガネの平面図であり、図２は、本発明による拡張現実メガネの側面図である。
【００２４】
本発明には、拡張現実メガネが開示されており、図１と図２に示すように、メガネ本体１００と光学アセンブリ２００とが含まれる。光学アセンブリ２００がメガネ本体１００に接続されており、光学アセンブリ２００がメガネ本体１００の外側に設けられている。メガネ本体１００の外側とは、利用者が当該拡張現実メガネを着用した時にメガネ本体１００の利用者の頭部から離れた側をいう。光学アセンブリ２００の少なくとも一端がメガネ本体１００のいずれかのテンプルに回転接続されている。光学アセンブリ２００がテンプルに対して減衰（ｄａｍｐｉｎｇ）回転する。
【００２５】
図１の平面図に示すように、光学アセンブリ２００の一端がメガネ本体１００のテンプルの外側に接続されており、光学アセンブリ２００が紙面に垂直する方向で回転可能である。このように、利用者は、該拡張現実メガネを着用時に、目の前方の上下方向で光学アセンブリ２００を調節して、光学アセンブリ２００によって提供された拡張現実画像を視線と正確にマッチングさせることができる。例えば、図２は、光学アセンブリ２００が（１）の位置から下へ（２）の位置に回転する模式図を示している。
【００２６】
本発明のいくつかの実施例では、光学アセンブリ２００は、メガネ本体１００に接続された端部が複数あってもよい。例えば、二つのレンズを跨いだ構造として光学アセンブリ２００を配置して、光学アセンブリ２００の両端をそれぞれ二つのテンプルに接続させる。
【００２７】
本発明のいくつかの実施例では、光学アセンブリ２００は、図１に示すように、第一部材２１０と第二部材２２０からなるＬ型構造である。第一部材２１０が、テンプルと減衰回転可能に接続され、テンプルの外側に沿って設けられている。第二部材２２０が光学素子を含み、光学素子が、テンプルに隣接するレンズに沿って設けられている。光学素子は、利用者に拡張現実シーン画像の結像効果を提供するためのものであり、プリズム等の光学レンズを含んでもよく、透明又は半透明のディスプレイを含んでもよく、ここで限定しない。
【実施例１】
【００２８】
図３は、本発明による拡張現実メガネの実施例１に示す光学アセンブリとメガネ本体との一種の接続構造である。
【００２９】
図３に示すように、第一部材２１０が、接続部を介してテンプルと減衰回転可能に接続されており、接続部が、第一回転軸３０１、第一ゴムリング３０２、第一押圧ワッシャ３０３、緩み止めワッシャ３０４、第二ゴムリング３０５及び締付ネジ３０６を含む。
【００３０】
第一回転軸３０１が第一部材２１０の外側に固定されており、メガネ本体１００のテンプルに軸孔が設けられている。第一回転軸３０１が、テンプルの軸孔を通ってから、第一ゴムリング３０２、第一押圧ワッシャ３０３、緩み止めワッシャ３０４、第二ゴムリング３０５を順次通り、締付ネジ３０６が軸方向に沿って第一回転軸３０１の末端に捻じ込まれ、第一ゴムリング３０２、第一押圧ワッシャ３０３、緩み止めワッシャ３０４及び第二ゴムリング３０５をロックし、締付ネジ３０６によって提供された締付力により、第一回転軸３０１等の構造は回転時に摩擦力を発生させ、減衰効果を生む。
【００３１】
第一押圧ワッシャ３０３は、シール効果を提供するための平面状の金属ワッシャであり、強度が高く、耐用性がよく、使用寿命が長い。緩み止めワッシャ３０４は、締付ネジ３０６が緩むのを防止するための、ねじ付き又はテーパ状の金属ワッシャである。第一ゴムリング３０２が、メガネ本体１００と第一押圧ワッシャ３０３との間に位置し、第二ゴムリング３０５が、緩み止めワッシャ３０４と締付ネジ３０６との間に位置する。第一ゴムリング３０２及び第二ゴムリング３０５が、弾性力を提供するとともに、金属材質であるワッシャとメガネ本体１００又は締付ネジ３０６とが摩擦して騒音を発生させることを回避し、静音回転調節を実現し、第一回転軸３０１の使用寿命を向上させることができる。
【実施例２】
【００３２】
図４は、本発明による拡張現実メガネの実施例２に示す光学アセンブリとメガネ本体とのもう一種の接続構造である。
【００３３】
図４に示すように、第一部材２１０が、接続部を介してテンプルと減衰回転可能に接続されており、接続部が、第一回転軸４０１、ゴムリング４０２及び第一蝶ワッシャ４０３を含む。第一回転軸４０１が第一部材２１０の外側に固定されており、テンプルに軸孔が設けられており、第一回転軸４０１が、軸孔を通ってから、ゴムリング４０２、第一蝶ワッシャ４０３を順次通り、第一回転軸４０１の末端に第一スナップフィット４０１１が設けられており、第一蝶ワッシャ４０３が第一スナップフィット４０１１を係止してゴムリング４０２をロックする。
【００３４】
該実施例２では、光学アセンブリ２００とメガネ本体１００のテンプルとの間は、第一回転軸４０１によって回転接続が実現されており、また、ゴムリング４０２が存在するため、ゴムリング４０２の弾性力及び摩擦力の作用で、光学アセンブリ２００とテンプルとの間に減衰回転が形成され、手触りとしては、回転調節が快適になる。そして、減衰力を介して、光学アセンブリ２００が、回転した任意の位置に空中浮揚することができ、これにより、異なる利用者の目の位置に適応し、良好な拡張現実体験が提供される。
【実施例３】
【００３５】
図５は、本発明による拡張現実メガネの実施例３に示す光学アセンブリの前段と後段との第一種の接続構造である。図６は、図５に示す光学アセンブリの断面図である。
【００３６】
図５に示すように、第一部材２１０が回転部をさらに含み、回転部が、第一部材２１０を前段２１１と後段２１２に分けている（図１参照）。前段２１１が第二部材２２０に接続されており、後段２１２がテンプルの外側壁と減衰回転可能に接続されており、前段２１１と後段２１２とが回転部を介して減衰回転可能に接続されている。
【００３７】
図５及び図６に示すように、前段２１１と後段２１２との間の回転部が、第二回転軸５０１と回転接続部材５０２とを含む。第二回転軸５０１が前段２１１に固定されている。回転接続部材５０２が第二回転軸５０１に外装され、第二回転軸５０１と締り嵌めしている。回転接続部材５０２の末端に後段２１２が固定接続されている。第二回転軸５０１と回転接続部材５０２との間に位置規制構造が設けられており、位置規制構造は、回転接続部材５０２を、所定の範囲内で第二回転軸５０１回りに回転するように規制する。
【００３８】
本発明のいくつかの実施例では、回転接続部材５０２は、板金プロセスまたは金属射出成形プロセスによって加工して製造することができ、回転接続部材５０２と第二回転軸５０１との締り嵌めによって減衰効果が生じる。第二回転軸５０１がネジ５０３によって前段２１１にロックされており、回転接続部材５０２がネジ５０４によって後段２１２にロックされている。
【００３９】
本発明のいくつかの実施例では、第二回転軸５０１と回転接続部材５０２との間の位置規制構造は、第二回転軸５０１上の肩部を用いて実現してもよい。
【実施例４】
【００４０】
図７は、本発明による拡張現実メガネの実施例４に示す光学アセンブリの前段と後段との第二種の接続構造である。図８は、図７に示す光学アセンブリの断面図である。
【００４１】
図７及び図８に示すように、光学アセンブリ２００の前段２１１と後段２１２との間の回転部が、第二回転軸７０１、第一回転軸アセンブリ７０２、第二回転軸アセンブリ７０３、スプリング７０４、第二押圧ワッシャ７０５、第二蝶ワッシャ７０６を含む。第一回転軸アセンブリ７０２及び第二回転軸アセンブリ７０３が、それぞれ、後段２１２と前段２１１に固定されている。第一回転軸アセンブリ７０２及び第二回転軸アセンブリ７０３のいずれにも軸孔が設けられている。第二回転軸７０１が、第一回転軸アセンブリ７０２と第二回転軸アセンブリ７０３の軸孔を通ってから、引き続きスプリング７０４、第二押圧ワッシャ７０５及び第二蝶ワッシャ７０６を順次通る。第二回転軸７０１の末端に第二スナップフィット７０１１が設けられている。第二蝶ワッシャ７０６が、第一回転軸アセンブリ７０２、第二回転軸アセンブリ７０３、スプリング７０４及び第二押圧ワッシャ７０５を締め付けるように第二スナップフィット７０１１を係止する。第一回転軸アセンブリ７０２と第二回転軸アセンブリ７０３との接触面が減衰摩擦面である。
【００４２】
第一回転軸アセンブリ７０２と第二回転軸アセンブリ７０３にねじ孔が設けられており、第一回転軸アセンブリ７０２が、ねじ孔を通ったネジ７０７によって後段２１２に固定されている。第二回転軸アセンブリ７０３が、ネジ７０８とネジ７０９によって前段２１１に固定されている。第二回転軸７０１が、第一回転軸アセンブリ７０２の軸孔、第二回転軸アセンブリ７０３の軸孔、スプリング７０４及び第二押圧ワッシャ７０５を順次通る。第二回転軸７０１の端部のスナップフィット７０１１が第二蝶ワッシャ７０６と係止されて、ロックが実現される。スプリング７０４の弾性力の作用で、第一回転軸アセンブリ７０２と第二回転軸アセンブリ７０３とが押し付け合わせられる。回転調節時、第一回転軸アセンブリ７０２と第二回転軸アセンブリ７０３との間の摩擦抵抗によって減衰効果が達成される。
【実施例５】
【００４３】
図９は、本発明による拡張現実メガネの実施例５に示す光学アセンブリの前段と後段との第三種の接続構造である。
【００４４】
図９に示すように、前段２１１と後段２１２との間の回転部が、第二回転軸９０１と係合構造９０２とを含む。第二回転軸９０２が後段２１２に固定されている。係合構造９０２が前段２１１に固定されている。係合構造９０２が複数の爪部９０２１を含み、図９に示す実施例では２つの爪部９０２１を含むが、爪部９０２１の数がこれに限定されるものではなく、係合の堅さを向上させるために爪部の数を増やしてもよい。複数の爪部９０２１がいずれも第二回転軸９０１に係合されて第二回転軸９０１と締り嵌めする。第二回転軸９０１及び／又は爪部９０２１が自己潤滑性材料である。
【００４５】
係合構造９０２と回転軸９０１とがスナップ嵌めで組み立てられており、操作が簡便である。また、回転軸９０１及び爪部９０２１の少なくとも一方が自己潤滑性材料を用いるため、減衰回転調整をより円滑にして、操作の心地を快適にすることができる。
【００４６】
光学アセンブリ２００の第一部材２１０を段付構造として配置することで、前段２１１と後段２１２の相対的な回転によって、拡張現実画像の調整可能範囲をさらに拡大することができる。図１０は、本発明による拡張現実メガネのもう一つの側面図であり、該側面図は、前段２１１が後段２１２に対して下へ回転し、（１）’の位置から（２）’の位置に調節される模式図を示している。
【００４７】
図１１は、本発明による拡張現実メガネの角度範囲を調節する模式図である。該模式図は、メガネ本体１００と光学アセンブリ２００との間、及び、光学アセンブリ２００の前段２１１と後段２１２との間の二段回転調節を示している。
【００４８】
本発明の拡張現実メガネは、メガネ本体１００と光学アセンブリ２００との間の第一段回転軸調節と、光学アセンブリ２００の前段２１１と後段２１２との間の第二段回転軸調節とを含む二段回転軸調節を有する。図１１に示すように、光学アセンブリ２００がまっすぐに保持されている場合、光学素子は、第一段回転軸の回転調節によって、Ａ端に示す限界位置とＢ端に示す限界位置との間で随意に調節されることが可能である。
【００４９】
いくつかの実施例では、第一段回転軸で回転調節を行った後、さらに第二段回転軸で回転調節を行うことにより、拡張現実画像の位置に対して引き続き微細調整を行ってもよい。例えば、Ａに示す限界位置で、第二段回転軸で回転調節を行って、光学素子をＣ１とＣ２に示す位置の間で随意に調節する。Ｂに示す限界位置で、第二段回転軸で回転調節を行って、光学素子をＤ１とＤ２に示す位置の間で随意に調節する。
【００５０】
第一段回転軸の回転調節の角度範囲がΦであり、例えば、図１１ではΦ＝３０°の角度範囲の調節が実現される。そして、第二段回転軸の回転調節を介して、この角度調節範囲をさらに拡大することができ、即ち、元のＡ−Ｂの角度範囲からＣ１−Ｄ１の角度範囲に拡大することができる。このように、着用中に、利用者は、第一段回転軸の回転調節で大まかな調節を行い、おおよその位置に調節した後、第二段回転軸の回転調節で微細調整を実現することにより、拡張現実画像を、利用者のニーズを満たす好適な位置に到達させることができる。
【実施例６】
【００５１】
図１２は、本発明による拡張現実メガネの実施例６に示す光学アセンブリの前段と後段との第四種の接続構造である。図１３は、図１２におけるシリカゲル摺動溝の断面模式図である。図１４は、本発明による拡張現実メガネの実施例６の平面図である。
【００５２】
該実施例６では、光学アセンブリ２００の前段２１１と後段２１２は、前述の図１０に示したように回転調節が実現できるだけでなく、摺動調節も実現できる。図１２及び図１３に示すように、前段２１１と後段２１２との間の回転部が、第二回転軸１２０１とシリカゲル摺動溝１２０２とを含む。第二回転軸１２０１がネジ１２０３によって前段２１１に固定されている。シリカゲル摺動溝１２０２が後段２１２に設けられている。シリカゲル摺動溝１２０２が複数の連通した軸孔１２０２１からなり、図１３に示すように、シリカゲル摺動溝１２０２内で、各円弧が各軸孔１２０２１にそれぞれ対応している。第二回転軸１２０１がシリカゲル摺動溝１２０２のうちの一つの軸孔１２０２１を通るとともに、軸孔１２０２１と締り嵌めする。これにより、前段２１１と後段２１２との間の減衰回転接続が実現され、前段２１１が後段２１２に対して図１２の曲線矢印に示すように回転することが可能になり、拡張現実画像の回転調節が実現される。
【００５３】
そして、第二回転軸１２０１は、さらに、外力の作用によりシリカゲル摺動溝１２０２に沿って摺動し、いずれかの軸孔１２０２１に摺動するとともに、いずれかの軸孔と締り嵌めすることが可能である。このように、図１２の中空矢印に示す方向に従ってプッシュプル操作を実現し、前段２１１を後段２１２に対して摺動させ、拡張現実画像の摺動調節を実現することができる。
【００５４】
好ましくは、シリカゲル摺動溝１２０２が二つ平行して設けられており、第二回転軸１２０１が、二つのシリカゲル摺動溝１２０２の軸方向に揃った軸孔１２０２１を通って、軸孔１２０２１と締り嵌めする。二つの平行したシリカゲル摺動溝１２０２と第二回転軸１２０１との協働によって、第二回転軸１２０１の揺動を防止して、回転調節の安定性を向上させることができる。無論、シリカゲル摺動溝１２０２の数は、これに限定されるものでなく、より多く配置してもよく、ここでは繰り返して説明しない。
【００５５】
好ましくは、シリカゲル摺動溝１２０２と後段２１２とのプラスチックハウジングが、二重射出成形プロセスによって製造される。二重射出成形プロセスによって、シリカゲルとプラスチックとの二つの材料が堅固に結合し、本実施例による拡張現実メガネが比較的長い使用寿命を有するようになる。
【００５６】
図１４の平面図に示すように、着用時、第二部材２２０に設けられた光学素子が、拡張現実画像を提供する。紙面内で、前段２１１をプッシュプルすることによって、拡張現実画像の目の左右方向での調節を実現することができる。紙面に垂直する方向で、光学アセンブリ２００の後段２１２のメガネ本体１００に対する回転、及び、光学アセンブリ２００の前段２１１の後段２１２に対する回転によって、拡張現実画像の目の前方の上下方向での調節を実現することができる。
【００５７】
本発明の上記各実施例では、拡張現実メガネの長さが１９０ｍｍ以下、拡張現実メガネの幅が１４０ｍｍ以下、拡張現実メガネのテンプルの長さが１６０ｍｍ以下である。
【００５８】
本発明の上記各実施例では、メガネの軽量化を満たし、着用の快適性を向上させるために、拡張現実メガネの質量が１００ｇ以下である。
【００５９】
以上は、あくまでも本発明のいくつかの実施形態であり、本発明の上記教示の下で、当業者は、上記実施例に基づいて他の改良又は変形を行うことができる。当業者であれば、上記特定の記載は本発明の目的をより良く解釈するためのものであり、本発明の保護範囲が特許請求の範囲の保護範囲に基づくべきであることを理解すべきである。
【図１】
2019537846.tif 000003
【図２】
2019537846.tif 000004
【図３】
2019537846.tif 000005
【図４】
2019537846.tif 000006
【図５】
2019537846.tif 000007
【図６】
2019537846.tif 000008
【図７】
2019537846.tif 000009
【図８】
2019537846.tif 000010
【図９】
2019537846.tif 000011
【図１０】
2019537846.tif 000012
【図１１】
2019537846.tif 000013
【図１２】
2019537846.tif 000014
【図１３】
2019537846.tif 000015
【図１４】
2019537846.tif 000016
【国際調査報告】
2019537846.tif 000017
2019537846.tif 000018
2019537846.tif 000019
2019537846.tif 000020